(57)【要約】【課題】従来、回転ドラムを前後移動させるテンション機構をエレベーターケース内に設けているため、エレベーターケース内のテンション機構に穀稈が引っ掛かり、詰まり発生およびロス発生が生じるという課題がある。【解決手段】走行装置２の前方に設けた刈取装置４により刈り取った穀稈を、走行装置２の上方に設けた脱穀装置３に、無端状の搬送チェン２２に設けた搬送体２３により供給搬送する搬送エレベーター１５を設けたコンバインにおいて、前記搬送チェン２２は、搬送エレベーター１５の基部側の駆動歯車１９と、搬送エレベーター１５の先端側に設けた受動回転ドラム２０との間に掛け回し、前記受動回転ドラム２０は、前記搬送エレベーター１５のエレベーターケース１７の外側に、搬送エレベーター１５の搬送方向に伸縮自在であってかつ上下回動自在に設けた伸縮兼用アーム部材２６に取付けた構成としたコンバイン。【選択図】  図２
2020068679.tif 000002
【特許請求の範囲】
【請求項１】
走行装置（２）の前方に設けた刈取装置（４）により刈り取った穀稈を、走行装置（２）の上方に設けた脱穀装置（３）に、無端状の搬送チェン（２２）に設けた搬送体（２３）により供給搬送する搬送エレベーター（１５）を設けたコンバインにおいて、前記搬送チェン（２２）は、搬送エレベーター（１５）の基部側の駆動歯車（１９）と、搬送エレベーター（１５）の先端側に設けた受動回転ドラム（２０）との間に掛け回し、前記受動回転ドラム（２０）は、前記搬送エレベーター（１５）のエレベーターケース（１７）の外側に、搬送エレベーター（１５）の搬送方向に伸縮自在であってかつ上下回動自在に設けた伸縮兼用アーム部材（２６）に取付けた構成としたコンバイン。
【請求項２】
請求項１記載の発明において、前記受動回転ドラム（２０）のドラム軸（２５）の左右両端は、搬送エレベーター（１５）の搬送方向に移動自在の伸縮兼用アーム部材（２６）の先端側にそれぞれ取付け、各伸縮兼用アーム部材（２６）の基部側はエレベーターケース（１７）の側板（１８）に設けた回動支点軸（２７）に回動自在に取付けたコンバイン。
【請求項３】
請求項２記載の発明において、前記伸縮兼用アーム部材（２６）は、エレベーターケース（１７）の側板（１８）の内側に位置して受動回転ドラム（２０）のドラム軸（２５）の軸受部（３１）に先端を取付けた内側アーム部（３２）の後部に、前記側板（１８）の外側に位置して前記回動支点軸（２７）にその基部を回動自在に取付けた外側アーム部（３３）の前部を、前記側板（１８）を挟んで挟持するように両者を互いに固定したコンバイン。
【請求項４】
請求項３記載の発明において、前記外側アーム部（３３）は、前記回動支点軸（２７）に取付けたボス部（３４）を有する後側部材（３５）と、前記内側アーム部（３２）側に取付けた前側部材（３６）とに前後に分割し、後側部材（３５）に対して前側部材（３６）を移動自在として、もって、外側アーム部（３３）に前記搬送チェン（２２）の張り具合を調節するテンション機構（３０）を設けたコンバイン。
【請求項５】
請求項４記載の発明において、前記外側アーム部（３３）と前記内側アーム部（３２）とは、エレベーターケース（１７）の側板（１８）に形成した移動溝（４２）に挿通した止着部材（４１）により固定したコンバイン。
【請求項６】
請求項５記載の発明において、前記伸縮兼用アーム部材（２６）とエレベーターケース（１７）との間には、受動回転ドラム（２０）を常時下動するように付勢するバネ（４５）を設けたコンバイン。
【請求項７】
請求項６記載の発明において、前記バネ（４５）は、先端側を外側アーム部（３３）に取付けたロッド（４６）の外周に挿通して設け、ロッド（４６）の基部は搬送エレベーター（１５）側に移動自在に取付けたコンバイン。
【発明の詳細な説明】
【技術分野】
【０００１】
本発明は、コンバインに係るものである。
【背景技術】
【０００２】
従来、圃場の穀稈を刈り取る刈取装置を、刈取穀稈を搬送する搬送エレベーターを介して脱穀装置に接続し、搬送エレベーターの、搬送体を取付けた搬送チェンを掛け回した回転ドラムを、搬送エレベーターのエレベーターケースに搬送エレベーターの搬送方向に移動自在であってかつ上下動自在に設けた構成は、公知である（特許文献１参照）。
【先行技術文献】
【特許文献】
【０００３】
【特許文献１】特開２０１２−２１０１６４号公報
【発明の概要】
【発明が解決しようとする課題】
【０００４】
前記公知例は、回転ドラムを前後移動させるテンション機構をエレベーターケース内に設けているため、エレベーターケース内のテンション機構に穀稈が引っ掛かり、詰まり発生およびロス発生が生じるという課題がある。
本願は、テンション機構および上下機構を工夫し、詰まり発生およびロス発生の防止を図ったものである。
【０００５】
請求項１記載の発明では、走行装置２の前方に設けた刈取装置４により刈り取った穀稈を、走行装置２の上方に設けた脱穀装置３に、無端状の搬送チェン２２に設けた搬送体２３により供給搬送する搬送エレベーター１５を設けたコンバインにおいて、前記搬送チェン２２は、搬送エレベーター１５の基部側の駆動歯車１９と、搬送エレベーター１５の先端側に設けた受動回転ドラム２０との間に掛け回し、前記受動回転ドラム２０は、前記搬送エレベーター１５のエレベーターケース１７の外側に、搬送エレベーター１５の搬送方向に伸縮自在であってかつ上下回動自在に設けた伸縮兼用アーム部材２６に取付けた構成としたコンバインとしたものである。
請求項２記載の発明では、前記受動回転ドラム２０のドラム軸２５の左右両端は、搬送エレベーター１５の搬送方向に移動自在の伸縮兼用アーム部材２６の先端側にそれぞれ取付け、各伸縮兼用アーム部材２６の基部側はエレベーターケース１７の側板１８に設けた回動支点軸２７に回動自在に取付けたコンバインとしたものである。
請求項３記載の発明では、前記伸縮兼用アーム部材２６は、エレベーターケース１７の側板１８の内側に位置して受動回転ドラム２０のドラム軸２５の軸受部３１に先端を取付けた内側アーム部３２の後部に、前記側板１８の外側に位置して前記回動支点軸２７にその基部を回動自在に取付けた外側アーム部３３の前部を、前記側板１８を挟んで挟持するように両者を互いに固定したコンバインとしたものである。
請求項４記載の発明では、前記外側アーム部３３は、前記回動支点軸２７に取付けたボス部３４を有する後側部材３５と、前記内側アーム部３２側に取付けた前側部材３６とに前後に分割し、後側部材３５に対して前側部材３６を移動自在として、もって、外側アーム部３３に前記搬送チェン２２の張り具合を調節するテンション機構３０を設けたコンバインとしたものである。
請求項５記載の発明では、前記外側アーム部３３と前記内側アーム部３２とは、エレベーターケース１７の側板１８に形成した移動溝４２に挿通した止着部材４１により固定したコンバインとしたものである。
請求項６記載の発明では、前記伸縮兼用アーム部材２６とエレベーターケース１７との間には、受動回転ドラム２０を常時下動するように付勢するバネ４５を設けたコンバインとしたものである。
請求項７記載の発明では、前記バネ４５は、先端側を外側アーム部３３に取付けたロッド４６の外周に挿通して設け、ロッド４６の基部は搬送エレベーター１５側に移動自在に取付けたコンバインとしたものである。
【発明の効果】
【０００６】
請求項１の発明では、受動回転ドラム２０を、エレベーターケース１７の外側に設けた、伸縮自在で上下回動自在の伸縮兼用アーム部材２６に取付けているので、詰まり発生およびロス発生の防止を図ることができ、また、搬送チェン２２のテンション状態を最適にすることができる。
請求項２の発明では、伸縮兼用アーム部材２６の外側アーム部３３が伸縮することにより搬送チェン２２のテンション力調節可能となり、あわせて、受入口２４に大量の搬送物が流入すると、伸縮兼用アーム部材２６の先端が回動支点軸２７中心に上方回動して退避し、受入口２４における詰まり発生を防止できる。
請求項３の発明では、伸縮兼用アーム部材２６を、エレベーターケース１７の内側の内側アーム部３２と、エレベーターケース１７の外側の外側アーム部３３とを、側板１８を挟んで挟持しているので、伸縮兼用アーム部材２６は、内側アーム部３２と外側アーム部３３とを回動支点軸２７中心に上下回動させることができ、受入口２４における詰まり発生を防止できる。
請求項４の発明では、外側アーム部３３を、回動支点軸２７に取付けるボス部３４を有する後側部材３５と、内側アーム部３２側に取付ける前側部材３６とに前後に分割し、後側部材３５に対して前側部材３６を移動自在としているので、テンション機構３０を搬送エレベーター１５の外側に容易に設けることができ、エレベーターケース１７内の搬送通路を広くすることができると共に、テンション機構３０等の部材に搬送物が引っ掛かるのを防止できる。
請求項５の発明では、伸縮兼用アーム部材２６の外側アーム部３３と内側アーム部３２とは、エレベーターケース１７の側板１８に形成した移動溝４２に挿通した止着部材４１により固定しているので、止着部材４１を介して外側アーム部３３と内側アーム部３２とを連結でき、止着部材４１は移動溝４２内を上下して伸縮兼用アーム部材２６の上下回動に干渉させない。
請求項６の発明では、伸縮兼用アーム部材２６とエレベーターケース１７との間には、受動回転ドラム２０を常時下動するように付勢するバネ４５を設けているので、受動回転ドラム２０は、詰まり発生を防止しつつ、搬送体２３をエレベーターケース１７の底板との間隔を適正に保持することができる。
請求項７の発明では、バネ４５をロッド４６の外周に挿通しているので、バネ４５の作用方向をロッド４６により常時適正となるように案内でき、伸縮兼用アーム部材２６を下方回動するように確実に付勢させることができる。
【図面の簡単な説明】
【０００７】
【図１】コンバインの側面図。
【図２】刈取装置一部と搬送エレベーター付近の平面図。
【図３】同側面図。
【図４】伸縮兼用アーム部材付近の平面図。
【図５】同一部省略した平面図。
【図６】同正面図および側面図。
【図７】同一部断面図および概略図。
【図８】搬送エレベーターの伝動機構を示す平面図とその一部拡大図と搬送体の断面図。
【発明を実施するための形態】
【０００８】
本発明の一実施形態を図面により説明すると、１は機体フレ−ム、２は機体フレ−ム１の下方位置に設けた走行装置、３は機体フレ−ム１の上方位置に設けた脱穀装置、４は機体フレ−ム１の前方に設けた刈取装置、５は前記脱穀装置３の側部に設けた該脱穀装置３より取出された穀物を一時貯留するグレンタンク、６は操縦部である（図１）。
刈取装置４は、前方に設けた分草装置１０と、穀稈を掻き込む掻込リール１１と、掻き込んだ穀稈を刈り取る刈刃１２と、刈り取った穀稈を集めるオーガー１３とを、テーブル１４に取付けて構成する。刈取装置４はテーブル１４に搬送エレベーター（搬送装置）１５の先端を取付け、搬送エレベーター１５の基部は脱穀装置３の脱穀室（図示省略）に接続する（図１）。
【０００９】
搬送エレベーター１５の基部のエレベーター駆動軸１６にはエンジン（図示省略）の回転が入力される構成とし、このエレベーター駆動軸１６は前記刈取装置４へ回転伝達する刈取入力軸と兼用する構成としている（図２）。
また、搬送エレベーター１５と刈取装置４はエレベーター駆動軸１６を回動支点として上下回動する。
エレベーター駆動軸１６は、搬送エレベーター１５のエレベーターケース１７の左右側板１８に回転自在に軸装し、エレベーター駆動軸１６には左右一対の駆動歯車１９を固定する。駆動歯車１９には受動回転ドラム２０の左右一対の歯部２１との間に無端状の搬送チェン２２を掛け回す。搬送チェン２２は所定間隔をおいて搬送体２３を複数設ける。
【００１０】
受動回転ドラム２０は、前記搬送チェン２２のテンション力を調節するために、搬送エレベーター１５の搬送方向（前後方向）に移動自在であって上下自在に構成する。
そのため、テーブル１４と搬送エレベーター１５との間の受入口２４（図２）に大量の搬送物が流入しても、受動回転ドラム２０が上動して受入口２４における詰まり発生を防止し、また、搬送チェン２２のテンション状態を最適にすることができる。
受動回転ドラム２０のドラム軸２５の左右両端には、搬送エレベーター１５の搬送方向（前後方向）に移動自在の伸縮兼用アーム部材２６の先端側をそれぞれ取付け、各伸縮兼用アーム部材２６の基部側は受動回転ドラム２０の軸心よりも後方に位置するエレベーターケース１７の側板１８に設けた回動支点軸２７に回動自在にそれぞれ取付ける（図３）。
【００１１】
そのため、伸縮兼用アーム部材２６の一部に搬送チェン２２のテンション調節可能にするテンション機構３０を設けることができ、あわせて、受入口２４に大量の搬送物が流入すると、伸縮兼用アーム部材２６の先端（受動回転ドラム２０）が回動支点軸２７中心に上方回動して退避し、受入口２４における詰まり発生を防止する。
前記伸縮兼用アーム部材２６は、エレベーターケース１７の側板１８の内側に位置して受動回転ドラム２０のドラム軸２５の軸受部３１に先端を取付けた内側アーム部３２の後部に、前記側板１８の外側に位置して前記回動支点軸２７にその基部を回動自在に取付けた外側アーム部３３の前部を、前記側板１８を挟んで挟持するように両者を互いに固定する（図２、図７）。
【００１２】
そのため、伸縮兼用アーム部材２６は、内側アーム部３２と外側アーム部３３とが回動支点軸２７中心に上下回動する。
前記外側アーム部３３は、前記回動支点軸２７に取付けたボス部３４を有する後側部材３５と、前記内側アーム部３２側に取付けた前側部材３６とに前後に分割し、後側部材３５に対して前側部材３６を移動自在として、もって、外側アーム部３３に前記搬送チェン２２の張り具合を調節するテンション機構３０を設ける（図２、図７）。
そのため、エレベーターケース１７の側板１８の外面側に露出する外側アーム部３３にテンション機構３０を設けているので、搬送エレベーター１５の搬送チェン２２のテンション機構３０をエレベーターケース１７内に設けることを回避でき、エレベーターケース１７内の搬送通路を広くすることができると共に、テンション機構３０等の部材に搬送物が引っ掛かるのを防止できる。
【００１３】
テンション機構３０の構成は任意であるが、例えば、ボス部３４に固定の後側部材３５を螺子筒に形成し、この後側部材３５に対して螺子軸により構成した前側部材３６を前後移動自在に螺合させて構成する。３８は前側部材３６に螺合させたダブルナットであり、後側部材３５に対する前側部材３６の伸縮を固定する作用を奏する。
伸縮兼用アーム部材２６は、エレベーターケース１７の側板１８の内側に位置して、受動回転ドラム２０のドラム軸２５の軸受部３１に先端を取付けた内側アーム部３２と、エレベーターケース１７の側板１８の外側に位置する前記外側アーム部３３とにより、側板１８を挟んで挟持させて、両者を互いに固定する（図４）。
そのため、伸縮兼用アーム部材２６は、外側アーム部３３と内側アーム部３２とが回動支点軸２７中心に一体で上下回動する。
【００１４】
外側アーム部３３と内側アーム部３２との固定構成は任意であるが、例えば、外側アーム部３３の前側部材３６の前端部に板状の取付部材４０を固定し、取付部材４０と内側アーム部３２とをボルト等の止着部材４１により固定する（図３、図７）。止着部材４１はエレベーターケース１７の側板１８に形成した移動溝４２を介して外側アーム部３３（取付部材４０）と内側アーム部３２とを連結し、止着部材４１が移動溝４２内を上下して、伸縮兼用アーム部材２６を回動支点軸２７中心に上下回動させる構成とする。
この場合、少なくとも、内側アーム部３２は、止着部材４１が上下回動しても移動溝４２を開口させない面積にて構成し、搬送物や塵埃が移動溝４２から漏れるのを防止する。
なお、移動溝４２と止着部材４１は外側アーム部３３の長さ方向に複数並設する。
【００１５】
そのため、外側アーム部３３と内側アーム部３２との連結が強固になって、受動回転ドラム２０を確実に支持できる。
伸縮兼用アーム部材２６とエレベーターケース１７との間には、受動回転ドラム２０を常時下動するように付勢するバネ４５を設ける（図３）。
バネ４５はコイルバネにより形成し、ロッド４６の外周に挿通する。ロッド４６の下端は外側アーム部３３の取付部材４０にピン４９Ａにより回動自在に取付け、ロッド４６の上部をエレベーターケース１７の側板１８の外面に設けたガイド体４８に上下動自在に挿通し、ガイド体４８より上方に突出するロッド４６の所定部分にストッパピン４９を取付ける。
したがって、ガイド体４８と外側アーム部３３の間のロッド４６の外周に圧縮コイルバネで形成したバネ４５を挿通して取付けられる。
【００１６】
ロッド４６の下動はストッパピン４９により規制され、バネ４５の弾力は受動回転ドラム２０を常時下方に位置するように付勢するように作用し、バネ４５の弾力より大きな荷重が受動回転ドラム２０に掛かると、受動回転ドラム２０はロッド４６をバネ４５の弾力に抗して押し上げ、伸縮兼用アーム部材２６を回動支点軸２７中心に上方回動させて、エレベーターケース１７の底面から受動回転ドラム２０を上方に退避させ、詰まり発生を防止する。
そのため、受動回転ドラム２０の付勢手段であるバネ４５およびロッド４６もエレベーターケース１７の側板１８の外側に設置することができ、エレベーターケース１７内の搬送通路を広くすることができると共に、受動回転ドラム２０の付勢手段であるバネ４５およびロッド４６がエレベーターケース１７内の搬送物の搬送抵抗となるのを防止できる。
【００１７】
この場合、伸縮兼用アーム部材２６（外側アーム部３３）と受動回転ドラム２０による搬送チェン２２のテンション力が通常状態のとき、外側アーム部３３に対してロッド４６が略直交するように、ロッド４６とガイド体４８と外側アーム部３３とを配置し、図６のように、ロッド４６が後上がり傾斜となると（ピン１９Ａが前側位置）、外側アーム部３３の長さが長くなって搬送チェン２２のテンション力が強くなり、ロッド４６が後下がり傾斜となると（ピン１９Ａが後位置）、外側アーム部３３の長さは短くなって搬送チェン２２のテンションを弱くするように構成する（図６）。
そのため、外側アーム部３３に対するロッド４６の傾斜角度を略９０度に維持することができ、外側アーム部３３のテンションの強弱の影響を最小限にして、ロッド４６により受動回転ドラム２０を下動付勢させられ、受動回転ドラム２０の上下動を安定させられる。
【００１８】
また、外側アーム部３３に対してロッド４６が略直交状態で、ロッド４６と伸縮兼用アーム部材２６の取付部材４０との取付部分が、受動回転ドラム２０のドラム軸２５よりも後方に位置するように構成する（図３）。
そのため、後述する刈取装置４への伝動機構（チェン５９等）Ｄを包囲するカバー５０内にロッド４６等を収納することができ（図４）、穀稈等がテンション機構３０との不用意な接触を防止できると共に、雨水や塵埃からの保護される。
前記伸縮兼用アーム部材２６とエレベーターケース１７の側板１８との間に伸縮兼用アーム部材２６の位置を検出する位置検出部（位置検出センサ）５１を設け（図３）、伸縮兼用アーム部材２６が回動支点軸２７中心に所定以上上方回動すると、操縦部６の操縦者にその旨を音および／または表示により報知し、または、エンジンを停止させる。
本実施形態の位置検出部５１は非接触型の感知センサにより形成し、伸縮兼用アーム部材２６の内側に設けているが、接触型のリミットスイッチを設けて構成してもよい。
【００１９】
そのため、搬送エレベーター１５に刈取装置４から過剰大量穀稈の供給を抑制し、搬送エレベーター１５の破損とロス発生を防止する。
前記受動回転ドラム２０は、左右一対の側板５４をドラム軸２５にそれぞれ固定し、側板５４の外周に搬送チェン２２が係合するチェン係合杆（歯部２１）５５を設けて構成する。
そのため、搬送エレベーター１５の受入口２４に大量の穀稈が供給された際、受動回転ドラム２０のチェン係合杆５５と穀稈との接触抵抗を減少させ、受動回転ドラム２０の破損とロス発生を防止する。
図５のように、各チェン係合杆５５はカラー（軸筒および側板５４）形状に形成して歯部２１と兼用構成とすると、受動回転ドラム２０のチェン係合杆（歯部２１）５５と穀稈との接触抵抗を一層減少させると共に、チェン係合杆５５への穀稈の巻き付きを防止して受動回転ドラム２０の破損とロス発生を防止する。
【００２０】
刈取装置４への伝動機構Ｄは、エレベーター駆動軸１６の左側に設けた刈取用出力歯車５６と、中間軸５７の中間歯車５８と、伝動チェン５９と、中間軸５７の別の中間歯車６０と、中間歯車６０とオーガー１３のオーガー軸６１の歯車６２との間のチェン６３とを有して構成し、中間軸５７の中間歯車５８と中間歯車６０は、中間軸５７に設けた回転体６４に所定以上の荷重が掛かると剪断する所謂シャーボルト６５により取付け、伝動チェン５９とチェン６３の破損を防止する。
そのため、刈取装置４から搬送エレベーター１５に大量穀稈の供給を受けたときのチェン破損を防止し、作業能率の向上、復帰の迅速化を図ることことができる。
【００２１】
また、伝動機構Ｄのうち、刈取用出力歯車５６と、中間軸５７の中間歯車５８と、伝動チェン５９とを前記カバー５０により包囲する構成とし、カバー５０の所定位置には伝動機構Ｄの各部に注油する注油口（図示省略）を設ける。
そのため、カバー５０を外すことなく、伝動機構Ｄの各部に注油でき、メンテナンスを容易にする。
この注油口はカバー５０の側面に開口させると、藁屑等の侵入を抑制でき、好適である。
前記搬送チェン２２の搬送体搬送体２３には弾性体６５Ａを取付け、弾性体６５Ａの下端はエレベーターケース１７の底板６６上を摺動する構成とする（図８）。
そのため、エレベーターケース１７内の搬送物の滞留を防止でき、搬送物の滞留を防止することにより、ロス発生を防止でき、さらに、エレベーターケース１７内の詰まり発生も防止できる。
【００２２】
また、搬送体２３に弾性体６５Ａを設けることにより、搬送体２３の隙間調節が容易になり、搬送チェン２２のテンション調節も容易になる。
搬送体２３は断面Ｕ型形状に形成し、搬送体２３の進行方向前側部分（Ｕ型形状の内側部分）に弾性体６５Ａをボルト６７により取付ける。
そのため、搬送体２３の進行方向前側部分に弾性体６５Ａを取付けているので、進行方向後側部分に取付けた場合に比し、弾性体６５Ａの取付強度を向上させられ、また、ボルト６７により取付けているので、取付・交換を容易にする。
【００２３】
（実施形態の作用）
本発明は上記構成であり、走行装置２により機体を走行させ、刈取装置４の回転する掻込リール１１により圃場の穀稈を掻き込み、掻き込んだ穀稈を刈刃１２により刈り取り、刈り取った穀稈を搬送エレベーター１５により脱穀装置３に供給搬送して脱穀する。
搬送エレベーター１５はエレベーター駆動軸１６にエンジン回転が入力され、エレベーター駆動軸１６は駆動歯車１９と搬送チェン２２を介して受動回転ドラム２０を回転させ、無端状の搬送チェン２２に設けた搬送体２３が刈り取った穀稈を脱穀装置３の脱穀室（図示省略）まで供給搬送する。
【００２４】
受動回転ドラム２０は搬送チェン２２のテンションを調節するために、搬送エレベーター１５の搬送方向（前後方向）に移動自在であって上下自在に構成しているので、搬送エレベーター１５の受入口２４に大量の搬送物が流入しても、受動回転ドラム２０が上動して受入口２４における詰まり発生を防止し、また、搬送チェン２２のテンション状態を最適にすることができる。
【００２５】
受動回転ドラム２０のドラム軸２５の左右両端には、搬送エレベーター１５の搬送方向（前後方向）に移動自在の伸縮兼用アーム部材２６の先端側をそれぞれ取付け、各伸縮兼用アーム部材２６の基部側は受動回転ドラム２０の軸心よりも後方に位置するエレベーターケース１７の側板１８に設けた回動支点軸２７に回動自在にそれぞれ取付けているので、伸縮兼用アーム部材２６の一部に搬送チェン２２のテンション力調節可能にするテンション機構３０を設けることができ、あわせて、受入口２４に大量の搬送物が流入すると、伸縮兼用アーム部材２６の先端（受動回転ドラム２０）が回動支点軸２７中心に上方回動して退避し、受入口２４における詰まり発生を防止する。
【００２６】
伸縮兼用アーム部材２６は、エレベーターケース１７の側板１８の内側に位置して受動回転ドラム２０のドラム軸２５の軸受部３１に先端を取付けた内側アーム部３２の後部に、前記側板１８の外側に位置して前記回動支点軸２７にその基部を回動自在に取付けた外側アーム部３３の前部を、前記側板１８を挟んで挟持するように両者を互いに固定しているので、伸縮兼用アーム部材２６は、内側アーム部３２と外側アーム部３３とが回動支点軸２７中心に上下回動する。
【００２７】
外側アーム部３３は、回動支点軸２７に取付けたボス部３４を有する後側部材３５と、前記内側アーム部３２側に取付けた前側部材３６とに前後に分割し、後側部材３５に対して前側部材３６を移動自在として、もって、外側アーム部３３に前記搬送チェン２２の張り具合を調節するテンション機構３０を設けているので、エレベーターケース１７の側板１８の外面側に露出する外側アーム部３３にテンション機構３０を設けることができ、エレベーターケース１７内の搬送通路を広くすることができると共に、テンション機構３０等の部材に搬送物が引っ掛かるのを防止できる。
【００２８】
テンション機構３０は、ボス部３４に固定の後側部材３５を螺子筒に形成し、この後側部材３５に対して螺子軸により構成した前側部材３６を前後移動自在に螺合させて構成しているので、前側部材３６を回転させると、外側アーム部３３の全体の長さを伸縮させることができ、搬送チェン２２のテンション調節できる。
また、前側部材３６にダブルナット３８を螺合させているので、ダブルナット３８により後側部材３５に対する前側部材３６の伸縮を固定する作用を奏する。
【００２９】
伸縮兼用アーム部材２６はエレベーターケース１７の側板１８の内側に位置して、受動回転ドラム２０のドラム軸２５の軸受部３１に先端を取付けた内側アーム部３２と前記外側アーム部３３とにより、側板１８を挟んで挟持させて、両者を互いに固定しているので、伸縮兼用アーム部材２６は、外側アーム部３３と内側アーム部３２とが回動支点軸２７中心に上下回動する。
【００３０】
外側アーム部３３と内側アーム部３２とは、外側アーム部３３の前側部材３６の前端部に板状の取付部材４０を固定し、取付部材４０と内側アーム部３２とをボルト等の止着部材４１により固定し、止着部材４１はエレベーターケース１７の側板１８に形成した移動溝４２を介して外側アーム部３３（取付部材４０）と内側アーム部３２とを連結しているので、伸縮兼用アーム部材２６を回動支点軸２７中心に上下回動すると、止着部材４１が移動溝４２内を上下して、伸縮兼用アーム部材２６の回動への干渉を防止する。
【００３１】
この場合、少なくとも、内側アーム部３２は、止着部材４１が上下回動しても移動溝４２を開口させない面積にて構成しているので、エレベーターケース１７内の搬送物や塵埃が移動溝４２から漏れるのを防止する。
移動溝４２と止着部材４１は外側アーム部３３の長さ方向に複数並設しているので、外側アーム部３３と内側アーム部３２との連結が強固になって、受動回転ドラム２０を確実に支持できる。
【００３２】
伸縮兼用アーム部材２６とエレベーターケース１７との間には、受動回転ドラム２０を常時下動するように付勢するバネ４５を設け、バネ４５は外側アーム部３３の取付部材４０にロッド４６の下端を回動自在に取付け、ロッド４６の上部をエレベーターケース１７の側板１８の外面に設けたガイド体４８に上下動自在に挿通し、ガイド体４８より上方に突出するロッド４６にストッパピン４９を取付け、ガイド体４８と外側アーム部３３の間のロッド４６の外周に圧縮コイルバネで形成したバネ４５を挿通して取付けているので、ストッパピン４９によりロッド４６の下動が規制され、バネ４５の弾力は受動回転ドラム２０を常時下方に位置するように付勢し、バネ４５の弾力より大きな荷重が受動回転ドラム２０に掛かると、受動回転ドラム２０はロッド４６をバネ４５の弾力に抗して押し上げ、伸縮兼用アーム部材２６を回動支点軸２７中心に上方回動させて、エレベーターケース１７の底面から受動回転ドラム２０を上方に退避させ、詰まり発生を防止する。
【００３３】
したがって、受動回転ドラム２０の付勢手段であるバネ４５およびロッド４６もエレベーターケース１７の側板１８の外側に設置することができ、エレベーターケース１７内の搬送通路を広くすることができると共に、受動回転ドラム２０の付勢手段であるバネ４５およびロッド４６がエレベーターケース１７内の搬送物の搬送抵抗となるのを防止できる。
【００３４】
この場合、伸縮兼用アーム部材２６（外側アーム部３３）と受動回転ドラム２０による搬送チェン２２のテンション力が通常状態のとき、外側アーム部３３に対してロッド４６が略直交するように、ロッド４６とガイド体４８と外側アーム部３３とを配置し、図６のように、ロッド４６が後上がり傾斜となると、外側アーム部３３の長さが長くなって搬送チェン２２のテンション力が強くなり、ロッド４６が後下がり傾斜となると、外側アーム部３３の長さは短くなって搬送チェン２２のテンションを弱くするように構成しているので、外側アーム部３３に対するロッド４６の傾斜角度を略９０度に維持することができ、外側アーム部３３のテンションの強弱の影響を最小限にして、ロッド４６により受動回転ドラム２０を常時下動付勢させられ、受動回転ドラム２０の上下動を安定させられる。
【００３５】
また、外側アーム部３３に対してロッド４６が略直交状態で、ロッド４６と伸縮兼用アーム部材２６の取付部材４０との取付部分が、受動回転ドラム２０のドラム軸ドラム軸２５よりも後方に位置するように構成しているので、刈取装置４への伝動機構Ｄを包囲するカバーカバー５０内にロッド４６等を収納することができ、テンション機構との不用意な接触を防止できると共に、雨水や塵埃からの保護される。
【符号の説明】
【００３６】
１…機体フレ−ム、２…走行装置、３…脱穀装置、４…刈取装置、５…グレンタンク、６…操縦部、１０…分草装置、１１…掻込リール、１２…刈刃、１３…オーガー、１４…テーブル、１５…搬送エレベーター、１６…エレベーター駆動軸、１７…エレベーターケース、１８…側板、１９…駆動歯車、２０…受動回転ドラム、２１…歯部（チェン係合杆）、２２…搬送チェン、２３…搬送体、２４…受入口、２５…ドラム軸、２６…伸縮兼用アーム部材、２７…回動支点軸、３０…テンション機構、３１…軸受部、３２…内側アーム部、３３…外側アーム部、３４…ボス部、３５…後側部材、３６…前側部材、３８…ダブルナット、４０…取付部材、４１…止着部材、４２…移動溝、４５…バネ、４６…ロッド、４８…ガイド体、４９…ストッパピン、４９Ａ…ピン、５０…カバー、５１…位置検出部、５４…側板、５５…チェン係合杆（歯部）、５６…刈取用出力歯車、５７…中間軸、５８…中間歯車、５９…伝動チェン、６０…中間歯車、６１…オーガー軸、６３…チェン、６４…回転体、６５…シャーボルト、６５Ａ…弾性体、６６…底板、６７…ボルト。
【図１】
2020068679.tif 000003
【図２】
2020068679.tif 000004
【図３】
2020068679.tif 000005
【図４】
2020068679.tif 000006
【図５】
2020068679.tif 000007
【図６】
2020068679.tif 000008
【図７】
2020068679.tif 000009
【図８】
2020068679.tif 000010